(57)【要約】【課題】  ユーザが自分のペースで人的交流を図ることが可能であり、その結果、不登校・引きこもりの予防や精神衛生上の観点からも非常に高い効果を発揮するデータ要求提供システム、及び、データ要求提供プログラムを提供することを目的とする。【解決手段】  ユーザから時刻の設定を受け付ける時刻設定受付手段１ａと、要求先の設定を受け付ける要求先設定受付手段１ｂと、設定時刻より所定時間前になると要求先に対して期間を限定してデータを要求するデータ要求手段２ａと、限定期間中のみ前記要求先からのデータを受信するデータ受信手段２ｂと、受信したデータを記憶手段ＤＢ２に蓄積させるデータ蓄積手段２ｃと、設定時刻になると前記ユーザに対して通知する通知手段１ｃと、通知停止を受け付ける停止受付手段１ｄと、ユーザからの要求に応じて前記記憶手段に蓄積したデータを提供するデータ提供手段２ｄを備える。【選択図】  図１
2008226055.tif 000002
【特許請求の範囲】
【請求項１】
ユーザに対してネットワークを介してデータの要求と提供を行うデータ要求提供システムであり、
ユーザから時刻の設定を受け付ける時刻設定受付手段と、
ユーザからデータの要求先の設定を受け付ける要求先設定受付手段と、
前記設定時刻より所定時間前になると前記要求先に対して期間を限定してデータを要求するデータ要求手段と、
前記限定期間中のみ前記要求先からのデータを受信するデータ受信手段と、
前記受信したデータを記憶手段に蓄積記憶させるデータ蓄積手段と、
前記設定時刻になると前記ユーザに対して一回又は複数回通知する通知手段と、
前記ユーザからの要求に応じて前記記憶手段に蓄積したデータを提供するデータ提供手段とを備えることを特徴とするデータ要求提供システム。
【請求項２】
前記ユーザから前記通知手段による通知の停止を受け付ける停止受付手段を備え、
前記データ提供手段は、前記停止受付手段により停止を受け付けると、前記蓄積したデータを提供することを特徴とする請求項１記載のデータ要求提供システム。
【請求項３】
画像データを受信する画像受信手段と、
前記受信した画像データを記憶手段に蓄積記憶させる画像蓄積手段を備え、
前記通知手段による通知、又は、前記データ提供手段によるデータの提供とともに、前記画像データを提供することを特徴とする請求項１又は請求項２記載のデータ要求提供システム。
【請求項４】
ユーザに対してネットワークを介してデータの要求と提供を行うためのデータ要求提供プログラムであり、
ユーザから時刻とデータの要求先の設定を受け付ける設定受付ステップと、
前記設定時刻より所定時間前になると前記要求先に対して期間を限定してデータを要求するデータ要求ステップと、
前記限定期間中のみ前記要求先からのデータを受信するデータ受信ステップと、
前記受信したデータを記憶手段に蓄積記憶させるデータ蓄積ステップと、
前記設定時刻になると前記ユーザに対して通知する通知ステップと、
前記ユーザからの要求に応じて前記記憶手段に蓄積したデータを提供するデータ提供ステップを備え、コンピュータをデータ要求提供システムとして機能させることを特徴とするデータ要求提供プログラム。
【請求項５】
前記ユーザから前記通知ステップにおける通知の停止を受け付ける停止受付ステップを備え、
前記データ提供ステップでは、前記停止受付ステップにおいて停止を受け付けると、前記蓄積したデータを提供することを特徴とする請求項４に記載のデータ要求提供プログラム。
【請求項６】
画像データを受信する画像受信ステップと、
前記受信した画像データを記憶手段に蓄積記憶させる画像蓄積ステップを備え、
前記通知ステップにおける通知、又は、前記データ提供ステップにおけるデータの提供とともに、前記画像データを提供することを特徴とする請求項４又は請求項５に記載のデータ要求提供プログラム。
【発明の詳細な説明】
【技術分野】
【０００１】
本発明は、ユーザに対し、ネットワークを介してデータを要求し、受信したデータを提供するデータ要求提供システム及びデータ要求提供プログラムに関する。
【背景技術】
【０００２】
人が他者と人的交流を維持することは、不登校や引きこもり防止、高齢者や長期入院患者の精神衛生上の観点から非常に重要である。とくに、初期段階の不登校者や引きこもり者は、人的交流により改善できる傾向にある。不登校者や引きこもり者は、明確な理由がなく「ただなんとなく」学校や会社に行くことを避けてしまい、それが続くことにより会社や学校のメンバーと顔を合わせづらくなり、次第に本当の引きこもりに陥る。一方、起床時は、一日のモティベーションを左右する重要な時である。ゆえに、初期段階の不登校や引きこもり防止には、起床時にこれらの人々の背中を押して、少しでもモティベーションを高めてあげることが望ましい。
【０００３】
非特許文献１には、目覚まし時計機能とモバイルコミュニケーション機能を備えるシステムが開示されている。このシステムは、目覚まし時計機能により、他者の起床状態を条件（半分以上が起床状態である等）としてアラーム時刻設定が可能となっており、モバイルコミュニケーション機能により、他者からの情報を表示可能となっている。ユーザは、自分の起床時刻を、ある固定された時刻に設定するのではなく、自分と行動を共にする可能性のある人の起床時刻と関連づけて緩やかに設定し、周囲の状況に合わせて起床し、且つ、他者から任意に提供される情報を受け取る。
【非特許文献１】Ａｌｂｒｅｃｈｔ  Ｓｃｈｍｉｄｔ，ＮｅｔＷｅｒｋ  ａｌａｒｍ  ｃｌｏｃｋ（Ｔｈｅ  ３ＡＤ  Ｉｎｔｅｒｎａｔｉｏｎａｌ  Ｄｅｓｉｇｎ  Ｃｏｍｐｅｔｉｔｉｏｎ），Ｐｅｒｓｏｎａｌ  ａｎｄ  Ｕｂｉｑｕｉｔｏｕｓ  Ｃｏｍｐｕｔｉｎｇ，１０，ｐｐ．１９１―１９２（２００６）
【発明の開示】
【発明が解決しようとする課題】
【０００４】
しかしながら、上記非特許文献１の技術は、他者の起床状態により自分の起床時刻が決定され、他者の意思により送信される情報を受け取るため、起床や情報の受け取りが他者のペースに合わせて行われる。このため、ユーザは自分のペースで他者と人的交流を図ることはできなかった。
【０００５】
また、引きこもり者に、携帯電話やインターネット等の電子通信メディアが受け入れられやすいのは、それが自分のペースで利用でき、適度な距離感をコントロールできる点にあるとの見解がある。このため、仮に非特許文献１のシステムを引きこもり防止の目的で使用したとしても、自分のペースで利用することができないため受け入れられ難い。
【０００６】
そこで、本発明は、ユーザが自分のペースで人的交流を図ることが可能であり、その結果、不登校・引きこもりの予防や精神衛生上の観点からも非常に高い効果を発揮するデータ要求提供システム、及び、データ要求提供プログラムを提供することを目的とする。
【課題を解決するための手段】
【０００７】
本発明のデータ要求提供システムは、ネットワークを介してデータの要求と提供を行うデータ要求提供システムであり、ユーザから時刻の設定を受け付ける時刻設定受付手段と、ユーザからデータの要求先の設定を受け付ける要求先設定受付手段と、前記設定時刻より所定時間前になると前記要求先に対して期間を限定してデータを要求するデータ要求手段と、前記限定期間中のみ前記要求先からのデータを受信するデータ受信手段と、受信したデータを記憶手段に蓄積させるデータ蓄積手段と、前記設定時刻になると前記ユーザに対して一回又は複数回通知する通知手段と、前記ユーザからの要求に応じて前記記憶手段に蓄積したデータを提供するデータ提供手段を備えることを特徴とする。
【０００８】
この発明によれば、ユーザから時刻とデータの要求先の設定を受け付け、設定時刻よりも所定時間前になると、要求先に対して期間を限定してデータの要求を行う。要求先からのデータは限定期間中のみ受信し、受信したデータは設定時刻まで蓄積記憶する。設定時刻になるとユーザに対して通知し、ユーザからの要求に応じて蓄積記憶されたデータを提供する。これにより、ユーザは自らがデータの提供を要求し、設定した時刻になるとデータを受け取ることができる。
【０００９】
前記ユーザから前記通知手段による通知の停止を受け付ける停止受付手段を備え、前記データ提供手段は、前記停止受付手段により停止を受け付けると、前記蓄積したデータを提供することを特徴とする。この発明によれば、ユーザから停止を受け付けた場合のみ、データが提供される。これにより、ユーザに対しては停止直後にデータが提供されることとなる。
【００１０】
画像データを受信する画像受信手段と、受信した画像データを記憶手段に蓄積記憶させる画像蓄積手段を備え、前記通知手段による通知、又は、前記データ提供手段によるデータの提供とともに、前記画像データを提供することを特徴とする。この発明によれば、設定時刻になると通知とともに画像が提供されるか、又は、データとともに画像が提供されるため、ユーザは設定時刻に画像を受け取ることができる。
【００１１】
また、データ要求提供プログラムは、コンピュータを上記各手段として機能させるステップを備えることを特徴とする。これにより、コンピュータを上記データ要求提供システムとして機能させることができ、上記同様の効果が得られる。
【発明の効果】
【００１２】
本発明に係るデータ要求提供システム／プログラムによれば、設定時刻よりも所定時間前になるとユーザから受け付けた要求先に対して期間を限定してデータの要求を行い、ユーザから受け付けた設定時刻になるとそのユーザにデータを提供するため、ユーザは自らの要求により設定時刻に要求先からデータを受け取ることができる。これにより、ユーザは自分のペースで人的交流を図ることができる。また、データはユーザ自身が要求するため、システムを介して積極的に他者との交流を図ることも、距離を置くことも可能であり、距離感を適度にコントロールすることが可能である。
【００１３】
とくに、目覚まし時計のように使用して、設定時刻を起床時間とし、要求先に知人を設定しておけば、起床時にはシステムから通知が届き、知人からのメッセージデータを受け取ることができる。これにより、起床へのインセンティブ効果が得られるとともに、仲間との繋がり感も醸成され、不登校や引きこもりが予防される。友人からのメッセージデータはユーザ自らが要求するため、自己のペースで利用でき、距離感もコントロールできるため、受け入れられやすい。また、高齢者や長期入院患者が用いれば、知人から連絡を受け取ることができ、孤独感や疎外感が緩和され、精神衛生上も好ましい。自らのアクションがきっかけとなるため、受身がちになりやすい環境でも、積極的に人的交流を図ることができる。また、期間を限定してメッセージデータを要求するため、要求先ユーザの負担を軽減し、且つ、要求に対して無反応であった場合でも要求元ユーザは「たまたま見ていなかった」といった理由付けが可能となり、要求元ユーザの精神的な負担も軽減される。
【００１４】
また、ユーザから通知の停止を受け付けるとデータを提供可能とすれば、ユーザは停止直後にデータを受け取ることとなる。このため、起床と同タイミングでデータを受け取ることができ、その後の行動へのモティベーションを高めることができる。不登校や引きこもり防止に非常に効果的である。
【００１５】
更に、通知手段による通知、又は、データ提供手段によるデータの提供とともに、撮影手段により撮影された画像を提供すれば、ユーザは設定時刻になると画像を受け取ることができる。画像は「楽しさ」や「仲間との繋がり感」などを更に醸成させる性質を持つため、上記効果が更に高まる。とくに、撮影手段を教室や部室などのような仲間の集まる場所に設置しておけば、仲間が次々と画像を撮影し、その仲間の画像が届けられることとなり、不登校や引きこもり防止効果として非常に効果的である。
【００１６】
また、本発明のデータ要求提供システムと接続するクライアント端末は、ネットワークアクセスが可能な携帯電話等の汎用の情報端末であれば良く、特別な補機や改造の必要もないため、ユーザ側の導入コストも極めて低く、誰もが気軽に参加することができる。さらに、汎用のコンピュータに本発明のデータ要求提供プログラムを導入するだけでシステムが実現可能であるため、サービス提供者側の導入コストも極めて低い。
【発明を実施するための最良の形態】
【００１７】
（第１の実施の形態）
以下、本実施の形態のデータ要求提供システムＳｙｓ１について説明する。図１は、データ要求提供システムＳｙｓ１を説明する説明図である。データ要求提供システムＳｙｓ１は、コンピュータシステムにより実現され、携帯電話やパーソナルコンピュータ等の任意のクライアント端末Ｃ１，Ｃ２，，，Ｃ２ネットワークＮ，Ｎを介して接続可能となっている。このデータ要求提供システムＳｙｓ１は、要求元のユーザＡのクライアント端末Ｃ１から時刻設定と要求先を受け付けると、要求先のユーザのクライアント端末Ｃ２，，，Ｃ２に期間限定でデータを要求し、設定時刻になるとクライアント端末Ｃ１に受信したデータを提供するものである。
【００１８】
データ要求提供システムＳｙｓ１は、プログラムに従ってＣＰＵ等が機能することにより実現される通知処理部１と、データ処理部２と時刻カウント部４とを備え、磁気ディスク等の記憶手段に各種データベースとして設定データＤＢ１と、受信データＤＢ２を備える。
【００１９】
通知処理部１は、クライアント端末Ｃ１に対する通知処理を行う機能を有し、時刻設定受付手段１ａと、要求先設定受付手段１ｂと、通知手段１ｃと、停止受付手段１ｄとを備える。
【００２０】
時刻設定受付手段１ａは、ユーザのクライアント端末Ｃ１から「時刻」の設定を受け付ける機能を備え、要求先設定受付手段１ｂは、ユーザのクライアント端末Ｃ１から「データの要求先」の設定を受け付ける機能を備える。たとえば、データ要求提供システムＳｙｓ１は、図示しないユーザ情報登録機能を備え、ユーザが、ユーザ情報登録画面にて、ユーザ識別子Ａ、所属するグループ識別子、要求先となるグループ識別子やユーザ識別子、自己のメールアドレスなどの登録を行っておくと、ユーザごとにそのユーザ情報を記憶する。ユーザがユーザ識別子を用いてデータ要求提供システムＳｙｓ１にアクセスすると、時刻設定受付手段１ａは、ユーザごとに専用に表示されるインタフェース画面Ｗ１（図２（ａ））にて、「時刻」設定を促す。新しい時刻の設定はプルダウンで設定可能である。前回の設定時刻と同じ時刻を指定することも可能である。要求先設定受付手段１ｂは、図示しないユーザ情報登録用画面か、又は、ユーザごとに専用に表示されるインタフェース画面Ｗ１（図２（ａ））にて「データの要求先」の設定を促す。ユーザ情報登録用画面にて登録済みの要求先は、インタフェース画面Ｗ１にリストとして表示される。インタフェース画面Ｗ１では、新たな要求先を入力したり、前回の要求先を指定したり、登録済みの要求先をリスト表示させて指定することも可能としている。そして、インタフェース画面Ｗ１に「時刻」と「データの要求先」が設定されると、当該設定を受け付けて、設定データＤＢ１に設定内容、及び、そのユーザの識別子Ａを要求元ユーザ識別子として関連付けて登録する（図３（ａ））。なお、ユーザインタフェース画面Ｗ１は時刻のみ設定可能とし、要求先の設定はユーザからの指示に応じてユーザ情報登録画面を表示させ、設定させるようにしても良い。
【００２１】
通知手段１ｃは、設定時刻になるとクライアント端末Ｃ１に対して一回又は複数回通知する機能を有する。たとえば、通知手段１ｃは、時計機能を有する時刻カウント部４から現在時刻を取得し、設定データＤＢ１の「設定時刻」項目に現在時刻と同一時刻が設定されている場合は、対応するユーザ識別子Ａにて特定されるユーザにメールを送信して通知を行う。通知は、一回、又は、所定間隔をもって複数回行われる。通知回数はユーザが設定可能としても良い。ユーザ識別子Ａにて特定されるユーザのメールアドレスは、ユーザ登録情報を参照することにより得られる。図２（ｂ）は、通知に際してクライアント端末Ｃ１に表示させるインタフェース画面Ｗ２である。これにより設定時刻になった旨が通知される。
【００２２】
停止受付手段１ｄは、要求元ユーザのクライアント端末Ｃ１から通知の停止を受け付け、データ提供手段２ｄに対して要求元ユーザのユーザ識別子Ａを渡す。たとえば、インタフェース画面Ｗ２に、通知手段１ｃによる通知とともに、通知の停止を促す情報を表示する。ここでは、通知停止専用のＷｅｂページへのリンクを表示し、リンクへアクセスさせることで通知（例えばスヌーズ）を停止可能になっている。ユーザにより通知が停止されると、停止受付手段１ｄは、設定データＤＢ１の「状態」の項目を「設定」から「停止」に変更する（図３（ａ））。
【００２３】
データ処理部２は、データの要求、及び、受信したデータの蓄積と提供に関する処理を行う機能を有し、データ要求手段２ａと、データ受信手段２ｂと、データ蓄積手段２ｃと、データ提供手段２ｄとを備える。
【００２４】
データ要求手段２ａは、設定時刻より所定時間前になると要求先に対して期間を限定してデータを要求する機能を備える。所定時間は任意であり、予めシステム内に設定されていても良いし、ユーザにより設定可能であっても良い。データ要求手段２ａは、時刻カウント部４から現在時刻を取得しながら設定データＤＢ１の「設定時刻」項目を参照し、設定時刻（例えば１１：３０）より所定時間（例えば１０分）前の時刻（例えば１１：２０）が、現在時刻（例えば１１：２０）と同一のものを検出すると、対応する「要求先」項目の各要求先（グループ識別子Ｇ，ユーザ識別子Ｄ，Ｅ）に対してデータの要求を行う。
【００２５】
図２（ｃ）は、データ要求手段２ａが要求先のクライアント端末Ｃ２，，，Ｃ２に表示するインタフェース画面Ｗ３である。各クライアント端末Ｃ２，，，Ｃ２には、専用のプログラムがインストールされており、データ要求提供システムＳｙｓ１とセッション可能となっている。各クライアント端末Ｃ２，，，Ｃ２はログイン時に入力されるユーザ識別子により特定されており、データ要求手段２ａは、該当するユーザ識別子のクライアント端末Ｃ２，，，Ｃ２に、データを要求する旨のポップアップを表示させる。ポップアップ表示は、所定時間（例えば３０秒）だけとし、所定時間経過後は非表示とし、期間を限定して要求を行う。
【００２６】
また、データ要求手段２ａは、ユーザからの指示に応じてインタフェース画面Ｗ４を表示し、メッセージの入力を促す。ユーザにより「送信」がクリックされて送信指示がなされると、要求元及び要求先識別子とともにデータ（メッセージ）が送信される。なお、ここでは提供させるデータをテキストによるメッセージとしたが、例えば、画像データ、音声データ、音楽データ等とすることも可能であり、要求するデータは限定されない。
【００２７】
データ受信手段２ｂは、限定期間のポップアップ表示中のみ、要求先からデータを受信する機能を備える。各クライアント端末Ｃ２，，，Ｃ２は、データ（メッセージ）を、要求元ユーザ識別子Ａ及び自己の識別子Ｂ，Ｃ，ＥとともにネットワークＮを介して送信すると、データ受信手段２ｂは限定期間中のみそれらを受信し、データ蓄積手段２ｃに渡す。なお、識別子Ｂ，Ｃはグループ識別子Ｇに含まれるユーザである。また、要求先が必ずデータを送信するとは限らず、ここでは識別子Ｄのユーザからは受信していない。
【００２８】
データ蓄積手段２ｃは、受信したデータを記憶手段に蓄積する機能を備える。データ受信手段２ｂから受け取ったデータを要求元ユーザ識別子Ａ及び要求先ユーザ識別子Ｂ，Ｃ，Ｅとともに記憶手段である受信データＤＢ２に蓄積記憶させる。受信データＤＢ２は、要求元ユーザ識別子ごとに、要求先ユーザ識別子と、受信データ（メッセージ）を蓄積記憶する（図３（ｂ））。
【００２９】
データ提供手段２ｄは、要求元であるユーザ識別子Ａのクライアント端末Ｃ１からの要求に応じて受信データＤＢ２に蓄積記憶したデータを提供する機能を備える。データ提供手段２ｄは、停止受付手段１ｄから要求元のユーザ識別子Ａの通知を受けると、受信データＤＢ２を参照し、ユーザ識別子Ａと関連付けて記憶されているデータ（メッセージ）を、要求先ユーザ識別子Ａとセットにして、クライアント端末Ｃ１に提供する。データ（メッセージ）は、データごとに個別ファイルとして提供しても良いが、すべてのデータを一つに統合して提供するほうが、ユーザの利便性から好ましい。図２（ｄ）のインタフェース画面Ｗ５は、クライアント端末Ｃ１に表示させる画面である。インタフェース画面Ｗ５には、各メッセージにその要求先のユーザ識別子が付与されて表示される。メール配信により提供しても良いし、閲覧先へのリンクを表示してＷｅｂページにアクセスさせることで提供しても良い。
【００３０】
なお、停止受付手段１ｄは任意である。停止受付手段１ｄを備えない場合、データ提供手段２ｄは設定時刻になると通知手段１ｃと連動して要求元ユーザに対して該当するデータを提供する。
【００３１】
（本発明の第２の実施の形態）
図４は、第２の実施の形態のデータ要求提供システムＳｙｓ２を説明する説明図である。データ要求提供システムＳｙｓ２は、上記データ要求提供システムＳｙｓ１に画像処理部３とデータベースとして画像データＤＢ３を備える。以下、相違点のみを説明する。その他は第１の実施の形態と同様であるため説明を省略する。
【００３２】
本実施の形態では、撮影手段用端末Ｃ３に撮影手段Ｃｍが接続されており、撮影手段Ｃｍでの撮影により生成された画像データを撮影手段用端末Ｃ３から受信する場合を例に説明する。撮影手段用端末Ｃ３には、専用のプログラムがインストールされており、特定のグループ識別子、又は、ユーザ識別子が設定されている。撮影手段Ｃｍはデジタルカメラ等であり、これにより画像が撮影されると、撮影手段用端末Ｃ３は、生成された画像データを取り込んで、設定されているグループ識別子又はユーザ識別子とともにデータ要求提供システムＳｙｓ２に送信する。なお、撮影手段Ｃｍによる撮影は、撮影決定手段ｅ，ｅを操作することにより行われる。撮影手段用端末Ｃ３には、撮影決定手段ｅ，ｅごとに「おはよう」「おつかれさま」といったコメントが関連付けて記憶されており、使用された撮影決定手段ｅ，ｅによって、画像データに「おはよう」「おつかれさま」といったコメントを付加する。なお、撮影手段用端末Ｃ３と撮影手段Ｃｍは、ユーザごとに専用に設置されていても良いし、共用スペース等に設置されてクループに所属する複数のユーザで共有されても良い。
【００３３】
画像処理部３は、画像受信手段３ａと画像蓄積手段３ｂを備える。画像受信手段３ａは、撮影手段用端末Ｃ３から画像データとグループ識別子又はユーザ識別子を受信すると、それらをセットにして画像蓄積手段３ｂに渡す。画像蓄積手段３ｂは、受け取った画像データとグループ識別子又はユーザ識別子を画像データＤＢ３に蓄積記憶させる。画像データＤＢ３には、画像送信元識別子（グループ識別子又はユーザ識別子）ごとに、画像データが関連付けて記憶される（図５（ａ））。
【００３４】
データ提供手段２ｄは、停止受付手段１ｄからユーザ識別子Ａを受け取ると、受信データＤＢ２からユーザ識別子Ａと関連付けて記憶されているデータ（メッセージ）を選択するとともに、設定データＤＢ２を参照してユーザ識別子Ａと関連付けて記憶されている要求先識別子（グループ識別子Ｇ，ユーザ識別子Ｄ，ユーザ識別子Ｅ）を取得し、取得した要求先識別子と一致する画像送信元識別子を検出し、関連付けて記憶されている画像データをメッセージとともに提供する。図５（ｂ）は、クライアント端末Ｃ１に画像データを表示させるインタフェース画面Ｗ６である。設定時刻から直近に撮影された所定枚数の画像データが表示される。
【００３５】
なお、画像データとメッセージデータとは、別々のタイミングにて提供しても良い。たとえば、通知手段１ｃにおける通知時に画像データを提供し、データ提供手段２ｄによるデータ提供時にメッセージデータを提供しても良いし、その逆でも良い。
【００３６】
（データ要求提供システムの動作説明、及び、データ要求提供プログラム）
本実施の形態のデータ要求提供プログラムＰは、コンピュータを上記第２の実施の形態のデータ要求提供システムＳｙｓ２として機能させるプログラムである。図６は、データ要求提供プログラムＰを説明する説明図である。各ステップＳ１−１〜Ｓ９は、コンピュータをデータ要求提供システムＳｙｓ２の各手段として機能させるステップである。以下、要求元ユーザと要求先ユーザ及びデータ要求提供システムＳｙｓ２の動作とともに、データ要求提供プログラムＰを説明する。なお、詳細は上記実施の形態にて説明済みのため省略する。データ要求提供システムＳｙｓ１として機能させるプログラムは、プログラムＰの一部として説明可能なため省略する。
【００３７】
事前準備として、要求元ユーザのクライアント端末Ｃ１からユーザ情報登録要求があると、コンピュータをユーザ情報登録手段として機能させ、ユーザ情報の登録を受け付ける（ユーザ情報登録ステップ）。
【００３８】
要求元ユーザのクライアント端末Ｃ１から時刻の設定要求があると、コンピュータを時刻設定受付手段１ａとして機能させ、時刻設定の設定を受け付ける（時刻設定受付ステップＳ１−１）。また、要求先の設定要求があると、要求先設定受付手段１ｂとして機能させ、要求先の設定を受け付ける（要求先設定受付ステップＳ１−２）。なお、要求先設定受付ステップＳ１−２は、事前準備の段階でユーザ情報登録の中で行っても良いし、時刻設定受付ステップＳ１−１と並行して行っても良い。
【００３９】
要求先ユーザ側に設置されている撮影手段用端末Ｃ３から画像データが送信されると、コンピュータを画像受信手段３ａとして機能させて画像データを受信し（画像受信ステップＳ２）、画像蓄積手段として機能させて画像データＤＢ３に画像データを蓄積記憶する（画像蓄積ステップＳ３）。
【００４０】
プログラムＰはコンピュータをデータ要求手段２ａとして機能させ、設定データＤＢ１から設定時刻より所定時間前が現在時刻と一致する設定時刻を検出すると、対応する要求先のユーザのクライアント端末Ｃ２に期間を限定してデータを要求する（データ要求ステップＳ４）。要求先のユーザがクライアント端末Ｃ２からデータを送信すると、プログラムＰはコンピュータをデータ受信手段２ｂとして機能させて限定期間中のみデータを受信し（データ受信ステップＳ５）、データ蓄積手段２ｃとして機能させて受信したデータを受信データＤＢ２に蓄積記憶させる（データ蓄積ステップＳ６）。
【００４１】
プログラムＰはコンピュータを通知手段１ｃとして機能させ、設定データＤＢ１から現在時刻と同一の設定時刻を検出すると、要求元のユーザのクライアント端末Ｃ１に通知する。通知はユーザが停止指示を行うまで、一回又は時間間隔をおいて複数回行われる（通知ステップＳ７）。ユーザは、クライアント端末Ｃ１に通知を受信すると、通知の停止を指示する。プログラムＰは、コンピュータを停止受付手段１ｄとして機能させて通知停止を受け付け、設定データＤＢ１の「状態」項目を「設定」ｋから「停止」に変更する（停止受付ステップＳ８）。プログラムＰは、通知の停止が受け付けられると、コンピュータをデータ提供手段２ｄとして機能させ、要求元ユーザのクライアント端末Ｃ１に対して、その要求元ユーザのユーザ識別子と関連付けて記憶されているメッセージデータを画像データとともに提供する（データ提供ステップＳ９）。
【００４２】
（使用態様１）目覚まし時計としての使用
本システムは、特に初期段階の不登校者や引きこもり者に有効である。引きこもりぎみのユーザＡは、就寝前にクライアント端末Ｃ１からデータ要求提供システムＳｙｓ２にアクセスし、時刻設定受付手段１ａにより時刻と要求先を設定する。要求先は、既に事前準備段階のユーザ情報登録時において要求先設定受付手段１ｂにより登録済みであり、ユーザＡは登録済みの要求先を使用する。翌朝、ユーザＢは研究室に登校すると、入り口に設置されている撮影手段Ｃｍの撮影決定手段ｅ，ｅを操作して、わざとひょうきんな顔をして自分の顔を撮影し、画像データを生成する。撮影決定手段ｅ，ｅは、朝は「おはよう」のコメントが付加される方を選択し、退出時には「おつかれさま」のコメントが付加される方を選択する。設定時刻より所定時間１０分前になると、ユーザＢのクライアント端末Ｃ２に、「Ａ君がもうすぐ起きます。ぜひメッセージを送信してください」と表示されメッセージ要求のポップアップが表示される。表示時間は３０秒であり、その後、ポップアップは非表示となる。これにより、要求される側の負担を軽減し、且つ、要求に対して無反応であった場合でも要求元ユーザは「たまたま見ていなかった」といった理由付けが可能となり、精神的な負担が軽減される。ユーザＢは、メッセージ入力用のインタフェース画面を表示させ、メッセージとして「おはよう。今日はとても良い天気だよ。ドライブがてら温泉にでも行こうか？」と入力する。設定時刻になると、ユーザＡは通知手段１ｃからメールにより通知を受け、これにより起床が促される。通知には「通知の停止」作業用Ｗｅｂページへのリンクが表示されている。ユーザＡは、何度か通知を受けた後、リンクを辿って「通知の停止」を行う。すると、データ要求提供システムＳｙｓ２からメッセージと画像データの提供を受ける。メッセージには、ユーザＢやその他仲間からのコメントが記載されており、画像データには仲間の顔等が映っている。ユーザＡはこれらを見ることで、楽しい気持ちになり、且つ、仲間との繋がり感が醸成され、研究室へ出向くことのモティベーションが高められる。友人からのメッセージはユーザＡ自らが設定して要求するため、自己のペースで利用でき、適度な距離感もコントロールできるため、初期段階の不登校者や引きこもり者にも受け入れられやすい。
【００４３】
（使用態様２）高齢者や長期入院患者による使用
高齢者や長期入院患者は、来客やお見舞いを待つといったように、他者との関わりにおいて受身的であることが多い。そこで、本システムを用いることにより、知人や友人に対してメッセージや画像データを要求することができる。これにより、孤独感や疎外感が緩和され、高齢者や長期入院患者の精神衛生に良い影響を与える。受身的になりがちな環境下でも、積極的に他者と関わることができる。
【図面の簡単な説明】
【００４４】
【図１】第１の実施の形態のデータ要求提供システムを説明する説明図。
【図２】各種インタフェース画面を説明する説明図。
【図３】各種データベースの構成を説明する説明図。
【図４】第２の実施の形態のデータ要求提供システムを説明する説明図。
【図５】上記実施の形態のデータベース及びインタフェース画面を説明する説明図。
【図６】本発明のデータ要求提供プログラム及びデータ要求提供システムの動作を説明する説明図。
【符号の説明】
【００４５】
Ｓｙｓ１，Ｓｙｓ２  データ要求提供システム、Ｃ１，Ｃ２  クライアント端末Ｃ３  撮影手段用端末、Ｃｍ  撮影手段、１  通知処理部、１ａ  時刻設定受付手段、１ｂ  要求先設定受付手段、  １ｃ  通知手段、１ｄ  停止受付手段、２  データ処理部、２ａ  データ要求手段、２ｂ  データ受信手段、２ｃ  データ蓄積手段、２ｄ  データ提供手段、  ３  画像処理部、３ａ  画像受信手段、３ｂ  画像蓄積手段、４  カウント手段、ＤＢ１  設定データベース、ＤＢ２  受信データベース、ＤＢ３  画像データベース、Ｎ  ネットワーク、Ｗ１〜Ｗ６  インタフェース画面
【図１】
2008226055.tif 000003
【図２】
2008226055.tif 000004
【図３】
2008226055.tif 000005
【図４】
2008226055.tif 000006
【図５】
2008226055.tif 000007
【図６】
2008226055.tif 000008